(57)【特許請求の範囲】
【請求項１】
外壁パネルの間の目地をシールすることが可能な弾性を有するシール材の、当該目地に挿入された状態における当該目地からの脱落を防止する脱落防止クリップであって、
上記外壁パネルを固定する固定金具に取り付けられ、
上記目地と対向する表面には、上記シール材の一部分から突出して設けられたリップを引掛ける腕部が形成されており、
上記腕部は、
上記表面の一端から離間し、かつ、上記表面の、当該一端と対向する他端側へと延伸しており、上記シール材の一部分が接触したときに、当該一部分をその先端部まで案内して当該先端部に引掛けるものであり、
上記先端部を含む一部の区間において、上記表面側へと傾斜していることを特徴とする脱落防止クリップ。
【請求項２】
弾性を有し、
外壁パネルの間の目地をシールすることが可能な弾性を有するシール材の、当該目地に挿入された状態における当該目地からの脱落を防止する脱落防止クリップであって、
上記外壁パネルを固定する固定金具に取り付けられ、
上記目地と対向する表面には、上記シール材の一部分から突出して設けられたリップを引掛ける腕部が形成された上記脱落防止クリップが設置された上記外壁パネルの間の上記目地に挿入された状態で当該目地をシールする上記シール材であって、
上記目地の内部で当該目地をシールする一次シール部と、
上記外壁パネルの内壁側から上記目地をシールする二次シール部と、を備え、
上記二次シール部は、
上記二次シール部の長手方向に亘って上記一次シール部側へ突出し、上記内壁へ接触して、当該内壁、上記一次シール部及び上記二次シール部の間に防水空間を形成する第１リップと、
上記二次シール部の長手方向に亘って上記一次シール部とは反対側へ突出し、上記外壁パネルに設置された上記脱落防止クリップに上記二次シール部を固定させる第２リップと、を備えていることを特徴とするシール材。
【請求項３】
弾性を有し、
外壁パネルの間の目地をシールすることが可能な弾性を有するシール材の、当該目地に挿入された状態における当該目地からの脱落を防止する脱落防止クリップであって、
上記外壁パネルを固定する固定金具に取り付けられ、
上記目地と対向する表面には、上記シール材の一部分から突出して設けられたリップを引掛ける腕部が形成されており、
上記腕部は、
上記表面の一端から離間し、かつ、上記表面の、当該一端と対向する他端側へと延伸しており、上記シール材の一部分が接触したときに、当該一部分をその先端部まで案内して当該先端部に引掛けるものであり、
上記先端部を含む一部の区間において、上記表面側へと傾斜している上記脱落防止クリップが設置された上記外壁パネルの間の上記目地に挿入された状態で当該目地をシールする上記シール材であって、
上記目地の内部で当該目地をシールする一次シール部と、
上記外壁パネルの内壁側から上記目地をシールする二次シール部と、を備え、
上記二次シール部は、
上記二次シール部の長手方向に亘って上記一次シール部側へ突出し、上記内壁へ接触して、当該内壁、上記一次シール部及び上記二次シール部の間に防水空間を形成する第１リップと、
上記二次シール部の長手方向に亘って上記一次シール部とは反対側へ突出し、上記外壁パネルに設置された上記脱落防止クリップに上記二次シール部を固定させる第２リップと、を備えていることを特徴とするシール材。
【請求項４】
上記二次シール部は、上記一次シール部との接続位置から上記二次シール部の短手方向に延伸し、かつ上記第１リップ及び上記第２リップが形成された基部を備え、
上記基部は、硬質材で構成されていることを特徴とする請求項２または３に記載のシール材。
【請求項５】
上記二次シール部は、上記一次シール部との接続位置から上記二次シール部の短手方向に延伸し、かつ上記第２リップが形成された基部を複数備え、
上記第２リップは、軟質材で構成されていることを特徴とする請求項２から４のいずれか１項に記載のシール材。
【請求項６】
上記二次シール部は、上記一次シール部との接続位置から上記二次シール部の短手方向に延伸し、かつ上記第２リップが形成された基部を備え、
上記第２リップは、上記接続位置側に傾斜して形成されていることを特徴とする請求項２から５のいずれか１項に記載のシール材。
【請求項７】
請求項１に記載の脱落防止クリップを備えていることを特徴とする外壁パネルの目地構造。
【請求項８】
請求項２から６のいずれか１項に記載のシール材を備えていることを特徴とする外壁パネルの目地構造。
【発明の詳細な説明】
【技術分野】
【０００１】
本発明は、住宅等の建造物において、外壁パネル間の目地をシールするシール材、シール材の脱落を防止する脱落防止クリップ、及び外壁パネルの目地構造に関する。
【背景技術】
【０００２】
住宅等の外壁の工法として、住宅に複数の外壁パネルを固定した後、外壁パネル間の目地をシール材によりシールする工法が知られている。目地のシールに関する技術として、例えば特許文献１〜４に開示されている技術が挙げられる。特許文献１には、目地の内部で目地をシールする頭部シール部及び腕部シール部（一次シール部）と、目地を室内側からシールする脚部シール部（二次シール部）とを備えた目地材が開示されている。特許文献２には、上記一次シール部の機能を有する定型シール部材が開示されている。特許文献３には、一次シール部材、クリップ部材及び二次防水部材を備えた構造が開示されている。これらの部材は連結して目地に挿入される。特許文献４には、上記一次シール部の機能を有する耐火目地材と、耐火目地材の目地からの脱落を防止するクリップとを備えた耐火防水構造が開示されている。特許文献５には、一次シール部および二次シール部を備え、当該二次シール部には、目地を防水するシールリップと、目地に挿入するときのガイド機能を果たすガイドリップとが形成されている。
【０００３】
その他、従来の目地のシール構造としては、図７及び図８に示すシール構造が挙げられる。図７の（ａ）〜（ｄ）は、外壁パネルの目地をシールするために従来用いられてきた部材の一例を示す図であり、特許文献６に記載の防水構造を示すものである。図７の（ａ）は、従来の一次シール材１０１の形状を示す図である。図７の（ｂ）は、従来の脱落防止クリップ１０２の形状を示す図である。図７の（ｃ）は、従来の二次シール材１０３の形状を示す図である。図７の（ｄ）は、従来の引掛かり防止金具１０４の形状を示す図である。図７の（ｅ）は、図７の（ａ）〜（ｄ）に示した部材により、外壁パネル３１の縦目地３２がシールされている状態を示す図である。図７の（ｅ）に示すように、外壁パネル３１は、縦目地３２と連通する、内壁３１ａにより規定される空洞を有する。また、外壁パネル３１は、外壁固定金具３４により、住宅の軸組３５に固定されている。
【０００４】
従来の方法では、外壁パネル３１間の縦目地３２をシールする時には、まず外壁固定金具３４に引掛かり防止金具１０４を取り付ける。次に、二次シール材１０３を縦目地３２から外壁パネル３１の空洞へ挿入する。二次シール材１０３は、外壁固定金具３４と対向する側の面が内側になるように折り曲げられた状態で縦目地３２に挿入され、外壁パネル３１の内壁３１ａに沿って広がる。次に、一次シール材１０１に脱落防止クリップ１０２を取り付ける。脱落防止クリップ１０２を取り付けた状態の一次シール材１０１を縦目地３２に挿入することで、縦目地３２のシールが完了する。
【０００５】
図８の（ａ）は、一次シール材１０１に脱落防止クリップ１０２を取り付けた状態を示す斜視図である。図８の（ａ）に示すように、脱落防止クリップ１０２は、一次シール材１０１の室内側に、所定の間隔（例えば０．６ｍ間隔）で複数取り付けられる。また、図８の（ｂ）は、縦目地３２（図７の（ｅ）参照）がシールされた状態における各部材の位置関係を示す図である。図８の（ｂ）に示すように、脱落防止クリップ１０２は、二次シール材１０３の室外側であって、引掛かり防止金具１０４及び外壁固定金具３４（図７の（ｅ）参照）と接触（干渉）しない位置に配される。
【先行技術文献】
【特許文献】
【０００６】
【特許文献１】特開２００１−２６２７２４号公報（２００１年９月２６日公開）
【特許文献２】特開平９−４１５０５号公報（１９９７年２月１０日公開）
【特許文献３】特開２０１１−１５７７０７号公報（２０１１年８月１８日公開）
【特許文献４】特開２０１１−１６９０２８号公報（２０１１年９月１日公開）
【特許文献５】特開２０１５−１３２１４２号公報（２０１５年７月２３日公開）
【特許文献６】特開２０１１−１７９２１６号公報（２０１１年９月１５日公開）
【発明の概要】
【発明が解決しようとする課題】
【０００７】
しかしながら、特許文献１〜５、並びに特許文献６に示される図７及び図８に示す従来技術においては、外壁固定金具側に脱落防止クリップを固定する構成については検討されていない。そのため、従来技術では、外壁固定金具側に固定された脱落防止クリップに、一次シール材と二次シール材とを一体化したシール材を固定し、かつ防水性能を向上させることについては、当然ながら何ら検討されていない。
【０００８】
本発明は、上記の課題に鑑み、シール材を目地へ装着する際に、予めシール材に装着させておくことなく、当該シール材の目地からの脱落を防止することが可能な脱落防止クリップを提供することを目的とする。
【課題を解決するための手段】
【０００９】
上記の課題を解決するために、本発明に係る脱落防止クリップは、外壁パネルの間の目地をシールすることが可能な弾性を有するシール材の、当該目地に挿入された状態における当該目地からの脱落を防止する脱落防止クリップであって、上記外壁パネルを固定する固定金具に取り付けられ、上記目地と対向する表面には、上記シール材の一部分から突出して設けられたリップを引掛ける腕部が形成されている。
【００１０】
上記構成によれば、シール材が目地から挿入されたときに、上記固定金具に取り付けられた脱落防止クリップの腕部にシール材のリップを引掛けることができる。そのため、シール材側に脱落防止クリップを設けることなく、挿入されたシール材が目地から脱落することを防止できる。
【００１１】
また、本発明に係る脱落防止クリップでは、上記腕部は、上記表面の一端から離間し、かつ、上記表面の、当該一端と対向する他端側へと延伸しており、上記シール材の一部分が接触したときに、当該一部分をその先端部まで案内して当該先端部に引掛けるものであり、上記先端部を含む一部の区間において、上記表面側へと傾斜していてもよい。
【００１２】
上記構成によれば、腕部は、上記先端部を含む一部の区間において、上記表面側へと傾斜している。そのため、折れ曲がった状態で目地から脱落防止クリップの方向へと挿入してきたシール材の一部分を、目地の中心軸から外壁パネル側へ向かう方向にスムースに案内できる。
【００１３】
また、本発明に係るシール材は、弾性を有し、上記脱落防止クリップが設置された外壁パネルの間の目地に挿入された状態で当該目地をシールするシール材であって、上記目地の内部で当該目地をシールする一次シール部と、上記外壁パネルの内壁側から上記目地をシールする二次シール部と、を備え、上記二次シール部は、上記二次シール部の長手方向に亘って上記一次シール部側へ突出し、上記内壁へ接触して、当該内壁、上記一次シール部及び上記二次シール部の間に防水空間を形成する第１リップと、上記二次シール部の長手方向に亘って上記一次シール部とは反対側へ突出し、上記外壁パネルに設置された上記脱落防止クリップに上記二次シール部を固定させる第２リップと、を備えていてもよい。
【００１４】
上記構成によれば、シール材に上記第１リップが設けられていることで、シール材が目地に挿入された状態において上記防水空間を形成できる。それゆえ、シール材は、上記第１リップを備えることで、防水性能を向上させることができる。また、上記第２リップが設けられていることで、第２リップと相対する、シール材の目地からの脱落を防止する脱落防止クリップに上記二次シール部を固定させることができる。そのため、当該脱落防止クリップをシール材に装着する必要がない。したがって、シール材は、防水性能を向上させることができるとともに、上記脱落防止クリップを装着することなく目地からの脱落を防止できる。
【００１５】
また、本発明に係るシール材では、上記二次シール部は、上記一次シール部との接続位置から上記二次シール部の短手方向に延伸し、かつ上記第１リップ及び上記第２リップが形成された基部を備え、上記基部は、硬質材で構成されていてもよい。
【００１６】
上記構成によれば、二次シール部が備える基部は、一次シール部との接続位置から二次シール部の短手方向に延伸している。そのため、二次シール部は目地の幅よりも広い幅を有することになるため、二次シール部を折り曲げて目地に挿入する必要がある。この点を考慮すれば、二次シール部は、長手方向（挿入される目地に沿って延伸する方向）に沿って容易に折り曲がるように作製されていることが好ましい。
【００１７】
上記構成によれば、上記基部が硬質材で構成されている。そのため、二次シール部の一部を折り曲げれば、その一部の折り曲がりに追従して、二次シール材全体を長手方向に沿って折り曲げた状態にすることができる。それゆえ、シール材の目地への挿入を容易に行うことが可能となる。
【００１８】
また、本発明に係るシール材では、上記二次シール部は、上記一次シール部との接続位置から上記二次シール部の短手方向に延伸し、かつ上記第２リップが形成された基部を複数備え、上記第２リップは、軟質材で構成されていてもよい。
【００１９】
上記構成によれば、シール材の目地への挿入時、二次シール部は、それぞれの基部に形成された第２リップが互いに相対するように折り曲げられる。そして、二次シール部が折り曲げられたとき、第２リップが互いに接触する可能性がある。
【００２０】
上記構成によれば、第２リップが軟質材で構成されている。そのため、第２リップは、上記のように第２リップが互いに接触した場合に、変形することができる。したがって、二次シール部の短手方向の長さ（二次シール部の幅）がより狭くなるように二次シール部を折り曲げることが可能となる。そのため、シール材の目地への挿入を容易に行うことが可能となる。
【００２１】
また、本発明に係るシール材では、上記二次シール部は、上記一次シール部との接続位置から上記二次シール部の短手方向に延伸し、かつ上記第２リップが形成された基部を備え、上記第２リップは、上記接続位置側に傾斜して形成されていてもよい。
【００２２】
上記構成によれば、上記脱落防止クリップが、目地の中心軸から外壁パネル側へと延伸する腕部に第２リップを引掛けて固定するものである場合、当該腕部に引掛けられた第２リップを、当該腕部から外れにくくすることが可能となる。そのため、シール材を目地から脱落しにくくすることができる。
【００２３】
また、本発明に係る外壁パネルの目地構造は、本発明に係る脱落防止クリップを備えていてもよい。
【００２４】
上記構成によれば、シール材側に当該シール材の脱落を防止するためのクリップを設けることなくシール材の脱落を防止できる目地構造となる。
【００２５】
また、本発明に係る外壁パネルの目地構造は、本発明に係るシール材を備えていてもよい。
【００２６】
上記構成によれば、目地の防水性能を向上させることができるとともに、シール材の脱落を防止するためのクリップをシール材に装着することなく目地からの脱落を防止できる目地構造となる。
【発明の効果】
【００２７】
本発明の脱落防止クリップは、シール材を目地へ装着する際に、予めシール材に装着させておくことなく、当該シール材の目地からの脱落を防止できる。
【図面の簡単な説明】
【００２８】
【図１】本発明の実施形態１に係るシール材の構成を示す断面図である。
【図２】本発明の実施形態１に係るシール材を用いる住宅の外壁を示す図である。
【図３】本発明の実施形態１に係る脱落防止クリップの形状を示す図であり、（ａ）は斜視図であり、（ｂ）は断面図である。
【図４】（ａ）〜（ｄ）は、シール材の目地への取り付けの過程を示す断面図である。
【図５】本発明の実施形態２に係るシール材の形状を示す断面図である。
【図６】（ａ）は本発明の実施形態３に係るシール材の断面図であり、（ｂ）は本発明の実施形態３に係る脱落防止クリップの斜視図であり、（ｂ）は本発明の実施形態３に係る脱落防止クリップの断面図であり、（ｄ）は（ａ）〜（ｃ）に示したシール材及び脱落防止クリップにより縦目地がシールされている状態を示す図である。
【図７】（ａ）〜（ｄ）は外壁パネルの目地をシールするために従来用いられてきた部材の一例を示す図であり、（ｅ）は（ａ）〜（ｄ）に示した部材により目地がシールされている状態を示す図である。
【図８】（ａ）は従来の一次シール材に従来の脱落防止クリップを取り付けた状態を示す斜視図であり、（ｂ）は目地がシールされた状態における各部材の位置関係を示す図である。
【発明を実施するための形態】
【００２９】
〔実施形態１〕
以下、本発明の実施形態について、図１〜図４を用いて詳細に説明する。まず、図２は、本実施形態に係るシール材１（図１参照）を用いる住宅（建造物）の外壁３を示す図である。図２に示すように、住宅の外壁３には、複数の外壁パネル３１が取り付けられている。複数の外壁パネル３１の間には、縦目地３２及び横目地３３が形成されている。すなわち、縦目地３２及び横目地３３は外壁パネル３１の継ぎ目である。縦目地３２及び横目地３３を挟んで、複数の外壁パネル３１が互いに隣り合っている。
【００３０】
（シール材１）
図１は、本実施形態に係るシール材（ガスケット）１の構成を示す断面図である。シール材１は弾性を有し、後述の脱落防止クリップ２が設置された外壁パネル３１の間の縦目地３２または横目地３３に挿入された状態で当該目地をシールする。図１に示すように、シール材１は、一次シール部１ａと二次シール部１ｂとを備える。一次シール部１ａと二次シール部１ｂとは、接続され、一体化されている。以下では、シール材１により縦目地３２をシールする実施形態について説明する。ただし、シール材１は、横目地３３のシールに用いられてもよい。
【００３１】
一次シール部１ａは、縦目地３２の内部で縦目地３２をシールする部材である。一次シール部１ａは、断面形状において室内外へ延びる柱状の一次基部１１と、一次基部１１の形状を維持するために埋め込まれた芯材１２と、一次基部１１からシール材１の短手方向（図１のｘ方向）の両側に延びる複数組の一次防水リップ１３とを有する。本実施形態においては、３組の一次防水リップ１３が設けられている。
【００３２】
一次シール部１ａは、芯材１２を除いて全体が軟質材で構成されている。ここで、軟質材とは、ＪＩＳ−Ａ規格における硬度が８０度以下の材料である。軟質材としては、例えば、一般的なゴム（例えば、ＥＰＤＭ（Ethylene Propylene Diene Monomer）ゴム、天然ゴム、またはクロロプレンゴム）、熱可塑性エラストマー（例えば、オレフィン系（ＴＰＯ；ThermoPlastic Olefin）、スチレン系（ＴＰＳ；ThermoPlastic Styrene））、または軟質塩化ビニルなどのゴム様弾性体が用いられる。また、本実施形態における芯材１２は、鋼材である。
【００３３】
二次シール部１ｂは、一次シール部１ａよりも室内側において、外壁パネル３１の内壁３１ａ（図４参照）側から縦目地３２をシールする部材である。二次シール部１ｂは、二次基部１４（基部）、二次防水リップ１５（第１リップ）、及び引掛け部１６（第２リップ）を有する。
【００３４】
二次基部１４は、二次防水リップ１５及び引掛け部１６が形成される部分である。二次基部１４は、一次シール部１ａの室内側の端部から突出するもので、該一次シール部１ａと二次シール部１ｂとの接続位置から二次シール部１ｂの短手方向に延伸する、一対の部材である。一対の二次基部１４は、それぞれ湾曲部１４ａと平坦部１４ｂと接続区間１４ｃとを有する。接続区間１４ｃは、一次シール部１ａと二次シール部１ｂとの接続部であり、一次シール部１ａを構成する材質がそのまま突出した部分である。そして、接続区間１４ｃから、二次シール部１ｂ特有の材質で構成された湾曲部１４ａが延びている。さらに、湾曲部１４ａから、二次シール部１ｂ特有の材質で構成された平坦部１４ｂが延びている。二次防水リップ１５及び引掛け部１６は、平坦部１４ｂに形成されている。なお、二次基部１４の数は、複数であれば、１対、すなわち２つに限定されず、３つ以上であってもよい。
【００３５】
本実施形態においては、二次基部１４特有の材質とは、硬質材である。ここで、硬質材とは、ＪＩＳ−Ａ規格における硬度が８０度以上の材料であり、好ましくは９０度以上の材料である。硬質材の具体的な例としては、例えばポリプロピレン、ポリエチレン、ナイロン、ポリカーボネート、硬質塩化ビニルといった樹脂が挙げられる。なお、二次基部１４の全体が硬質材で構成される必要はなく、少なくとも一部に硬質材を含んでいればよい。
【００３６】
二次防水リップ１５は、それぞれの二次基部１４から、二次シール部１ｂの長手方向（図１のｙ方向）に亘って一次シール部１ａ側へ突出する部分である。二次防水リップ１５は、軟質材で構成されている。ただし、二次防水リップ１５は、硬質材で構成されていてもよい。ここでいう軟質材及び硬質材の定義及び材料の具体例は、一次シール部１ａを構成する軟質材及び二次基部１４を構成する硬質材と同じである。また、二次防水リップ１５は、図４に示すように、内壁３１ａへ接触して、内壁３１ａ、一次シール部１ａ及び二次シール部１ｂの間に防水空間（二次排水空間）３６を形成する。より具体的には、二次防水リップ１５は、内壁３１ａ、二次シール部１ｂに最も近い一次防水リップ１３、二次基部１４、及び二次防水リップ１５の間に防水空間３６を形成する。防水空間３６は、二次シール部１ｂに最も近い一次防水リップ１３よりも外壁パネル３１の内部へ浸入した水が排水される流路である。防水空間３６が形成されることにより、水が二次シール部１ｂよりも外壁パネル３１の内部へ浸入する虞が低減される。なお、各一次防水リップ１３と縦目地３２を形成する外壁パネル３１の側面との間に形成される空間（一次排水空間）は、外部から縦目地３２に浸入した水が排水される流路である。
【００３７】
引掛け部１６は、それぞれの二次基部１４から、二次シール部１ｂの長手方向に亘って一次シール部１ａとは反対側へ突出する部分である。引掛け部１６は、外壁パネル３１に設置された後述の脱落防止クリップ２に二次シール部１ｂを固定させる。本実施形態において、引掛け部１６は、軟質材で構成されている。ただし、引掛け部１６は、硬質材で構成されていてもよい。ここでいう軟質材及び硬質材の定義及び材料の具体例は、一次シール部１ａを構成する軟質材及び二次基部１４を構成する硬質材と同じである。また、引掛け部１６は、一次シール部１ａと二次シール部１ｂとの接続位置側に傾斜して形成されている。すなわち、引掛け部１６と二次基部１４との成す角αが鋭角に形成されている。このため、引掛け部１６が軟質材であっても、外壁固定金具３４（固定金具）側から脱離する虞が低減される。
【００３８】
（脱落防止クリップ２）
図３は本実施形態に係る脱落防止クリップ２の形状を示す図である。図３の（ａ）は脱落防止クリップ２の斜視図である。図３の（ｂ）は脱落防止クリップ２の断面図である。脱落防止クリップ２は、外壁パネル３１の間の縦目地３２をシールすることが可能な弾性を有するシール材１の、縦目地３２に挿入された状態における縦目地３２からの脱落を防止する部材である。脱落防止クリップ２は、従来技術の一例として図７の（ｄ）に示した引掛かり防止金具１０４に置き換わる部材である。脱落防止クリップ２は、シール材１の外壁固定金具３４への引掛かりを防止する機能（引掛かり防止金具１０４が有する機能）に加え、シール材１の縦目地３２からの脱落を防止する機能を有する。脱落防止クリップ２は、引掛かり防止金具１０４と同様、外壁パネル３１を住宅に固定する外壁固定金具３４（図４参照）に取り付けられる。換言すれば、脱落防止クリップ２は、外壁パネル３１に設置される。本実施形態において、脱落防止クリップ２の材質は、バネ鋼である。図３の（ａ）及び（ｂ）に示すように、脱落防止クリップ２は、表面２１と側面２２と腕部２３とを備える。
【００３９】
表面２１は、脱落防止クリップ２が外壁固定金具３４に固定された状態において、縦目地３２と対向する部分である。表面２１は、脱落防止クリップ２が外壁固定金具３４に取り付けられた状態において、外壁固定金具３４が備えるネジへのアクセスを可能にするための開口２１ａを有する。
【００４０】
側面２２は、脱落防止クリップ２を外壁固定金具３４に固定する部分である。側面２２は、それぞれ鉤部２２ａを有する。鉤部２２ａは、外壁固定金具３４に取り付けられた脱落防止クリップ２が外壁固定金具３４から脱離することを防止する。
【００４１】
腕部２３は、シール材１の二次シール部１ｂの一部分から突出して設けられた引掛け部１６を引掛ける部材である。腕部２３は、表面２１に複数設けられる。腕部２３は、表面２１の一端から離間し、かつ当該一端と対向する表面２１の他端側へと延伸している。
【００４２】
本実施形態において、腕部２３は、１対の引掛け部１６のそれぞれに引っ掛かる、一対の部材である。腕部２３は、根元の部分である根元部２３ａと、折り曲げた部分である折り曲げ部２３ｂと、先端の部分である先端部２３ｃを有する。一対の腕部２３は、脱落防止クリップ２を表面２１の中心軸周りに１８０度回転させたときの当該脱落防止クリップ２の形状が略同一（長尺方向の中間位置、かつ短尺方向の中間位置である点の周りにおいて点対称）となるように、表面２１に設けられている。
【００４３】
また、本実施形態において、腕部２３は、先端部２３ｃを含む一部の区間において、表面２１側へ傾斜している。具体的には、折り曲げ部２３ｂから先端部２３ｃまでの区間は、折り曲げ部２３ｂを含む、表面２１に平行な水平面２４から、先端部２３ｃが離間するように、表面２１の方向へ傾斜している。ただし、折り曲げ部２３ｂから先端部２３ｃまでの区間が表面２１に対して水平であってもよい。
【００４４】
なお、腕部２３は、折り曲げ部２３ｂを有しなくてもよい。腕部２３は、少なくとも根元部２３ａから先端部２３ｃまでの区間のうち、先端部２３ｃを含む一部の区間において、表面２１へ向かう傾斜を有していればよい。例えば、腕部２３の全体が、円弧状に形成されていてもよい。また、腕部２３が一対である必要は必ずしもないし、複数の腕部２３の配置位置も特に限定されない。例えば、その配置位置が表面２１の端部でなくてもよく、表面２１上または脱落防止クリップ２の側面であってもよい。すなわち、腕部２３は、二次シール部１ｂを先端部２３ｃまで案内して、引掛け部１６を先端部２３ｃに引掛けることが可能な構成であればよい。
【００４５】
また、図３の（ｂ）では、腕部２３は、脱落防止クリップ２の左右対称線ＣＬを超えて、当該腕部２３の根元部２３ａとは逆側の側面２２の真上近傍まで延びている。しかし、腕部２３の長さは、図３の（ｂ）に示した長さより短くてもよく、長くてもよい。なお、真上とは、表面２１と側面２２の境界から延びる、表面２１の垂線上の位置であって、表面２１から腕部２３が延伸する側における位置である。
【００４６】
本実施形態において、脱落防止クリップ２の表面２１、側面２２、及び腕部２３は全て、バネ鋼の１枚板を切断し、折り曲げることによって形成されている。しかし、表面２１、側面２２、及び腕部２３は、それぞれ別個の板材で形成され、溶接されていてもよい。また、脱落防止クリップ２の材質は、樹脂であってもよい。
【００４７】
（シール材１の目地への取り付け）
図４の（ａ）〜（ｄ）は、シール材１の縦目地３２への取り付けの過程を示す断面図である。縦目地３２は、２枚の外壁パネル３１の間に形成されている。外壁パネル３１は、外壁固定金具３４により、住宅の軸組３５に固定されている。脱落防止クリップ２は、予め外壁固定金具３４に固定されている。
【００４８】
図４の（ａ）は、シール材１を縦目地３２へ挿入する前の状態を示す図である。二次シール部１ｂの二次基部１４は、一次シール部１ａとは逆の方向となる室内側へ折り曲げられ、引掛け部１６が互いに近づいた状態になっている。この状態においては、シール材１の縦目地３２への挿入幅（リップ幅）は、縦目地３２の幅（目地幅）以下となる。したがって、シール材１を容易に縦目地３２へ挿入することが可能となる。
【００４９】
図７、８を用いて説明した従来技術では、二次シール材１０３と一次シール材１０１とを、縦目地３２に別々に挿入する必要があった。しかし、本実施形態に係るシール材１は、二次シール部１ｂと一次シール部１ａとが予め接続されているため、縦目地３２をシールする工程の工数が削減される。
【００５０】
また上述した通り、二次基部１４は、接続区間１４ｃを除いて硬質材で構成されている。そのため、二次シール部１ｂの一部を折り曲げれば、その一部に追従して、二次シール部１ｂ全体を折り曲げた状態にすることができる。したがって、二次シール部１ｂの全体を、図４の（ａ）に示すような、一次シール部１ａとは逆の方向へ曲がった状態にすることが容易になる。
【００５１】
図４の（ａ）に示した例よりも湾曲部１４ａの曲率（半径ｒの円周の曲率は１／ｒである。すなわち、曲がり具合が急であるほど曲率は大きくなる。）が小さいか、または引掛け部１６が長く突出している場合には、二次シール部１ｂを曲げた場合に、引掛け部１６同士が接触することが考えられる。しかし、引掛け部１６は、上述した通り、軟質材で構成されている。したがって、引掛け部１６は、互いに接触した場合には変形することができるため、二次シール部１ｂの幅をさらに狭めることが可能となる。それゆえ、二次シール部１ｂを容易に縦目地３２へ挿入できると共に、より狭い幅を有する縦目地３２へも挿入できる。また、曲率が大きいと両側の湾曲部１４ａが干渉することもある。しかし、湾曲部１４ａは、上記した硬質材からなるため、ある程度は許容できる。
【００５２】
図４の（ｂ）は、縦目地３２へ挿入されたシール材１の二次基部１４が、脱落防止クリップ２の腕部２３に接触している状態を示す図である。シール材１は、二次防水リップ１５、及び複数の一次防水リップ１３を縦目地３２に接触させながら挿入され、腕部２３の、折り曲げ部２３ｂと先端部２３ｃとの間の区間に接触する。
【００５３】
図４の（ｃ）は、二次シール部１ｂが腕部２３に接触した状態を示す図である。腕部２３は、二次シール部１ｂをその接触位置（折り曲げ部２３ｂ付近）から先端部２３ｃまで案内して先端部２３ｃを引掛け部１６に引掛けるものである。また、上述した通り、折り曲げ部２３ｂと先端部２３ｃとの間の区間において、先端部２３ｃは表面２１（図３参照）へ向かって傾斜している。このため、折れ曲がった状態で縦目地３２から脱落防止クリップ２の方向へと挿入されてきた二次シール部１ｂを、縦目地３２の中心軸（脱落防止クリップ２を縦目地３２へ装着した際における、図３の（ｂ）に見られる該クリップの左右対称線ＣＬ）から外壁パネル３１側へ向かう方向にスムースに案内できる。また、上述した通り、脱落防止クリップ２の材質は、バネ鋼である。このため、シール材１を挿入するために要する力は比較的小さくて済む。
【００５４】
図４の（ｄ）は、シール材１の縦目地３２への取り付けが完了した状態を示す図である。このとき、二次シール部１ｂは、一次シール部１ａの側（すなわち、内壁３１ａの側）へ開いた形状であり、かつ二次基部１４が接続区間１４ｃを除いて硬質材で構成されている。そのため、外壁パネル３１の空洞に挿入された状態において、二次防水リップ１５は、内壁３１ａに強く接触してシールし、想定した通りの防水空間（二次排水空間）３６を形成する。
【００５５】
また、引掛け部１６は、腕部２３に引掛かった状態となる。上述した通り、引掛け部１６は、一次シール部１ａと二次シール部１ｂとの接続位置側に傾斜して形成されている。また、脱落防止クリップ２は、縦目地３２の中心軸から離間する方向に延伸する腕部２３の先端部２３ｃに引掛け部１６を引掛けて固定する。そのため、シール材１に、シール材１を縦目地３２から脱落させる方向の力が加わった場合、引掛け部１６と腕部２３との間に生じる係止、及び二次防水リップ１５と内壁３１ａとの間の大きな摩擦力により、シール材１を脱落しにくくすることができる。
【００５６】
また、脱落防止クリップ２は、外壁固定金具３４に取り付けられているため、図７、８を用いて説明した従来技術のように、シール材１の挿入時に脱落防止クリップ２と外壁固定金具３４とが接触する虞がない。さらに、二次シール部１ｂが脱落防止クリップ２に押されて、二次シール部１ｂと内壁３１ａとの間に隙間が生じる虞もない。
【００５７】
図４の（ｄ）に示すように、本実施形態に係る外壁パネル３１の縦目地３２の構造（目地構造）は、脱落防止クリップ２を備えている。これにより、シール材１の側にシール材１の脱落を防止するためのクリップを設けることなく、シール材１の脱落を防止できる。また、本実施形態に係る外壁パネル３１の縦目地３２の構造は、シール材１を備えている。これにより、目地の防水性能を向上させることができるとともに、シール材１の脱落を防止するためのクリップをシール材１に装着することなく、シール材１の脱落を防止できる。
【００５８】
〔実施形態２〕
本発明の別の実施形態について、図５を用いて説明する。本実施形態では、シール材１と異なる形状を有するシール材１Ａについて説明する。シール材１Ａの形状は、二次基部１４以外についてはシール材１と同じである。
【００５９】
図５は、シール材１Ａの形状を示す断面図である。上述した通り、シール材１においては、二次基部１４は、湾曲部１４ａと平坦部１４ｂとを有する。しかし、図５に示すように、シール材１Ａは、二次基部１４の全体が湾曲しており、平坦な部分を有しない。
【００６０】
このようなシール材１Ａも、シール材１と同様、外壁パネル３１の縦目地３２をシールする場合に高いシール性能を有する。
【００６１】
〔実施形態３〕
本発明の別の実施形態について、図６を用いて説明する。本実施形態では、シール材１・１Ａと異なる形状を有するシール材１Ｂ、及び脱落防止クリップ２と異なる形状を有する脱落防止クリップ２Ｂについて説明する。シール材１Ｂの形状は、二次基部１４以外についてはシール材１・１Ａと同じである。また、脱落防止クリップ２Ｂの形状は、腕部２３以外については、脱落防止クリップ２と同じである。
【００６２】
図６の（ａ）は、シール材１Ｂの断面図である。図６の（ａ）に示すように、シール材１Ｂにおける二次基部１４は、シール材１・１Ａにおける二次基部１４と比較して、接続区間１４ｃから二次シール部１ｂの短手方向に長く延伸している。
【００６３】
図６の（ｂ）は、脱落防止クリップ２Ｂの斜視図である。図６の（ｃ）は、脱落防止クリップ２の断面図である。図６の（ｂ）、（ｃ）に示すように、脱落防止クリップ２Ｂにおける腕部２３は、脱落防止クリップ２における腕部２３と比較して長く延伸している。具体的には、図６の（ｃ）では、腕部２３が、脱落防止クリップ２Ｂの左右対称線ＣＬおよび側面２２の真上を大きく超えて突出している。より具体的には、腕部２３について、側面２２の真上から先端部２３ｃまでの長さ（突出量）は、左右対称線ＣＬから側面２２の真上までの長さに略等しい。しかし、腕部２３の突出量は、図６の（ｂ）、（ｃ）に示した例に限られず、外壁パネル３１の内壁３１ａにより規定される空洞に収まる範囲であればよい。
【００６４】
図６の（ｄ）は、シール材１Ｂ及び脱落防止クリップ２Ｂにより縦目地３２がシールされている状態を示す図である。シール材１Ｂ及び脱落防止クリップ２Ｂにより縦目地３２をシールする場合、シール材１及び脱落防止クリップ２により縦目地３２をシールする場合と比較して、防水空間３６が広くなる。このため、二次シール部１ｂに最も近い一次防水リップ１３よりも外壁パネル３１の内部へ浸入した水が、防水空間３６により排水されやすくなる。したがって、水が二次防水リップ１５よりも外壁パネル３１の内部へ浸入する虞がさらに低減される。
【００６５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００６６】
１  シール材
１ａ  一次シール部
１ｂ  二次シール部
２  脱落防止クリップ
１４  二次基部（基部）
１５  二次防水リップ（第１リップ）
１６  引掛け部（第２リップ）
２１  表面
２３  腕部
２３ｃ  先端部
３１  外壁パネル
３１ａ  内壁
３２  縦目地（目地）
３４  外壁固定金具（固定金具）
３６  防水空間
【図１】
0006681697.tif 000002
【図２】
0006681697.tif 000003
【図３】
0006681697.tif 000004
【図４】
0006681697.tif 000005
【図５】
0006681697.tif 000006
【図６】
0006681697.tif 000007
【図７】
0006681697.tif 000008
【図８】
0006681697.tif 000009